(57)【要約】      （修正有）【課題】三相の各ケーブルにそれぞれ対応した３つの電極保有ユニットから構成されるカットアウトに対し、同時に電源を投入できる投入操作用工具を提供する。【解決手段】ケーブル１５を導入すると共に該ケーブルと通電する被電極部１４を具備した基体１１と、該基体において前記被電極部を閉鎖又は開放すると共に、その閉鎖時には前記被電極部と通電可能な電極部１３を具備した開閉装置１２とから構成されるユニットを、高圧配電線のリアクトルなどに３体並列して取り付ける態様のカットアウト１０に対し、操作棒７に取り付けた工具本体１の係止部４を、前記各開閉装置の被係止部１７に掛けた後、この操作棒の操作に伴う前記開閉装置の閉鎖により、電力の投入を行う投入操作用工具であって、前記係止部をカットアウトの全ての開閉装置における被係止部に対し工具本体から同時に掛けることが可能な位置に配設する。【選択図】      図１
2006185689.tif 000002
【特許請求の範囲】
【請求項１】
ケーブル（１５）を導入すると共に該ケーブル（１５）と通電する被電極部（１４）を具備した基体（１１）と、該基体（１１）において前記被電極部（１４）を閉鎖又は開放すると共に、その閉鎖時には前記被電極部（１４）と通電可能な電極部（１３）を具備した開閉装置（１２）とから構成されるユニット（１１,１２）を、高圧配電線のリアクトルなどに３体並列して取り付ける態様のカットアウト（１０）に対し、操作棒（７）に取り付けた工具本体（１）の係止部（４）を、前記各開閉装置（１２）の被係止部（１７）に掛けた後、この操作棒（７）の操作に伴う前記開閉装置（１２）の閉鎖により、電力の投入を行う投入操作用工具であって、
前記係止部（４）は、カットアウト（１０）の全ての開閉装置（１２,１２,１２）における被係止部（１７,１７,１７）に対し、工具本体（１）から同時に掛けることが可能な位置に配設してあることを特徴とするカットアウトの投入操作用工具。
【請求項２】
前記係止部（４）は、アーム（３）の一端側に取り付けてあるとともに、該アーム（３）の他端側は、基体（１１）からの開閉装置（１２）の開け閉めの度合に応じて回動するように、工具本体（１）の先部（５）に軸支してあることを特徴とする請求項１記載のカットアウトの投入操作用工具。
【発明の詳細な説明】
【技術分野】
【０００１】
本発明は、高圧配電線に施設されるカットアウトの電源の投入作業を行うための工具に関するものである。
【背景技術】
【０００２】
住宅の電化など生活様式の多用化や、インターネットに代表される急速な情報化社会の発達により、それらを支えている基幹の一つである電力系統においても大型且つ多岐化が図られており、電力供給各社では一層高い電力の安定供給が求められているのが現状である。これに追従して、電力設備工事における瞬時の切り替えを可能とする工法が模索されている。
【特許文献１】特開２００３−０３２８１５号公報（１頁目、図２）
【特許文献２】特開２００３−０３１１０６号公報（１頁目、図４）
【発明の開示】
【発明が解決しようとする課題】
【０００３】
現在、高圧配電線には１線地絡電流を抑制することを目的に接地変圧器補償リアクトルが施設されており、その開閉装置には配電線路用の手動開閉器が用いられていたが、コスト削減の観点から、安価な３極連動高圧カットアウトが採用され始めている。しかし高圧カットアウトの開閉装置を実際に切り替える場合には、リアクトルを一相毎に投入しなければならず、配電線の線路定数によっては変電所のリレー（ＯＶＧＲ）を動作させる懸念があることから、開閉装置において３極の同時投入が求められているのが現状である。
【０００４】
しかしながら高圧カットアウトの電源の投入操作時においては、手動開閉器と同等のレベルを保ちながら三相同時投入を行えることが理想となるが、従来の工具を用いた高圧カットアウトの投入作業では、該工具の構造的に、間接活線把持具を操作して一相ずつ順次投入せざるを得なかったため、三相を同時に切り替られない弊害から電圧の急激な変化が生じ、普遍的な電力の安定供給を確実に行えなくなる問題点があった。
【０００５】
本発明は上記課題を鑑みてなされたものであり、三相の各ケーブルにそれぞれ対応した３つの電極保有ユニットから構成されるカットアウトに対し、同時に電源を投入できる投入操作用工具を提供することにある。
【課題を解決するための手段】
【０００６】
本発明の請求項１記載の発明は、ケーブルを導入すると共に該ケーブルと通電する被電極部を具備した基体と、該基体において前記被電極部を閉鎖又は開放すると共に、その閉鎖時には前記被電極部と通電可能な電極部を具備した開閉装置とから構成されるユニットを、高圧配電線のリアクトルに３体並列して取り付ける態様のカットアウトに対し、操作棒に取り付けた工具本体の係止部を、前記各開閉装置の被係止部に掛けた後、この操作棒の操作に伴う前記開閉装置の閉鎖により、電力の投入を行う投入操作用工具であって、前記係止部は、カットアウトの全ての開閉装置における被係止部に対し、工具本体から同時に掛けることが可能な位置に配設してあることを特徴とする。
【０００７】
ここで係止部は、操作棒による遠隔操作を行いながら、各開閉装置の係止部（例えば爪、ツマミ等）のすべてに対し、同時に掛けられる態様であればよく、例えば、前記被係止部が横一列に並んでいるような態様のカットアウトあれば、該カットアウトの形成幅とほぼ同一幅に延長する横棒を適用したり、あるいは、すべての開閉装置と同数に枝分かれした鉤状物などが適用される。また操作棒とは例えば、間接活線把持具などに代表されるような、所定の部位に取り付けた工具本体を遠隔操作できる手段のすべてを意味するものである。
【０００８】
以上のように形成すると、三相の各ケーブルに対応したカットアウトのすべての開閉装置の被係止部に、工具本体の係止部を同時且つ一斉に引っ掛けることができ、この結果、前記各開閉装置の閉鎖を三相同時に行うことが可能となる。
【０００９】
また請求項２記載の発明のように、前記係止部は、アームの一端側に取り付けてあるとともに、該アームの他端側は、基体からの開閉装置の開け閉めの度合に応じて回動するように、工具本体の先部に軸支してあるので、操作棒の操作に伴う開閉装置の基体からの開け閉めに追従して、アームが工具本体の先部を基点として回動し、結果、開閉途中にある各開閉装置は、既に突出部分に引っ掛かった状態にある係止部と前記アームの回動に伴って開閉装置と接触した工具本体の先部との２点で支持されることになり、結果、安定したカットアウトの投入作業が可能となる。
【００１０】
ここでアームの回動に伴い各開閉装置に当接する工具本体の先部の形状は、できるだけ接触面積を確保できるようなもの、具体的には突出先端部分が平らな凸部や、工具本体の先部からの押圧力を弾性的に受け止められるゴム製ブロックなどであればよい。またアームの工具本体先部からの回動については、アームと工具本体の先部との軸止めした箇所を固定ネジで締付けたり、あるいは板バネなどで弾性的に保持し、開閉装置を閉じた際、その回動した位置で留められるように形成することが望ましい。またアームの長さは、係止部が被係止部に引っ掛かった状態のまま、工具本体の先部が開閉装置のいずれかの箇所に当接する必要があるため、開閉装置よりも短く形成している。
【発明の効果】
【００１１】
本発明のうち請求項１記載の発明によれば、三相の各ケーブルに対応したユニットから構成されるカットアウトの各開閉装置のすべてに対し、一度の操作で同時に電力の投入を行うことが可能となるから、投入作業時の作業性の飛躍的な向上は勿論のこと、従来あったケーブル毎の投入タイミングのズレに伴うタイムラグが確実に解消され、家庭及び事業者への電力の安定供給が達成される。
【００１２】
本発明のうち請求項２記載の発明によれば、請求項１記載の発明の効果に加えて、投入作業時における基体からの開閉装置の閉鎖が容易に行えるので、作業性の一層の向上が図られる。
【発明を実施するための最良の形態】
【００１３】
以下、本発明によるカットアウトの投入操作用工具の実施の形態を各図面に基づいて以下に説明する。
【００１４】
ここでまず、本投入操作用工具を適用する高圧カットアウトの説明をすると、図４及び図５のそれぞれに示すように、この高圧カットアウト１０は、配電線の電力安定を図るリアクトルを経て一般家庭や事業所への電力の投入、又は解除を制御するためのものであり、例えば、電柱の腕金１８等に固定金具２０を介して取り付けられている。また高圧カットアウト１０の構造については具体的に、各々が端子１３を備えた３つの開閉装置１２，１２，１２と対応する３つの基体１１,１１,１１における各ソケット１４の露出面側に、上下の開閉が可能な状態で取り付けてある。さらに前記基体１１からの開閉装置１２の開け閉めについては、その開閉度合が段階的に定まるようにラチェット式の連結金具２１により各々が接合されている。そして実際の高圧カットアウト１０における電源の投入時には、前記各開閉装置１２，１２，１２を一つ一つ順番に持ち上げていき、さらに当該各開閉装置１２,１２,１２が閉鎖した状態で、各端子１３,１３,１３を対応する各ソケット１４,１４,１４に差し込まれるものであった。
【００１５】
次に、本発明の主となる前述した高圧カットアウト１０の投入操作用工具の説明を行う。
本投入操作用工具は図１、図２及び図３に示すように、高圧カットアウト１０の形成幅とほぼ一致する長さの横棒４を、該横棒４と平行して配置した基板２から、該基板２の延長方向に沿って間隔をあけて配置した計６本の各アーム３によって支持してなるものである。さらに当該各アーム３は２本のアーム３,３を１組とし、この計３組の各アーム３,３は、横棒４と前後に平行配置した基板２の先端面側において間隔をあけて突設した３つの各アダプタ５,５,５の両側部から、各々が軸体８を介して前後への回動を可能に軸支してある。また基板２の他面側には、間接活線把持具７などの操作棒との連結部６を設けており、本投入操作用工具の使用時／未使用時における容易な着脱を可能としている（図４と図５もあわせて参照）。
尚、前記軸体８は、アダプタ５の上面側から突入する固定ネジ９によって、若干押さえられる程度の負荷がかけられており、これにより、各アーム３に規制がかかって回動位置で留まることになる。
【００１６】
次に、本投入操作用工具による高圧カットアウト１０の電源投入時における投入手順を、図６（ａ）（ｂ）（ｃ）（ｄ）に基づいて以下に説明する。
【００１７】
まず作業の準備として図６（ａ）のように、高圧カットアウト１０の３つの各開閉装置１２の外面側から突出した爪１７のすべてに、本投入操作用工具の横棒４を引っ掛ける。次いで図６（ｂ）のように、作業者は間接活線把持具７を上方に持ち上げるように操作し、工具本体１と連動して持ち上がった開閉装置１２が水平位置を越えた段階においては図６（ｃ）のように、各アーム３がアダプタ５の両側部において軸体８を中心として直角となるまで回動した際、アダプタ５の先端面によって開閉装置１２と当接し、これにより開閉装置１２を、横棒４と工具本体１先部との２点で支えることになる。そして最後には図６（ｄ）のように、間接活線把持具７を突き上げて開閉装置１２を完全に閉鎖することで、該開閉装置１２側の端子１３が基体１１側のソケット１４に差し込まれ、この結果、高圧カットアウト１０における電源の投入がなされる。
【図面の簡単な説明】
【００１８】
【図１】本発明のカットアウトの投入操作用工具の斜視図である。
【図２】本投入操作用工具の平面図である。
【図３】同じく、本投入操作用工具の側面図である。
【図４】本実施形態で説明するカットアウトの正面図である。
【図５】同じく、本実施形態で説明するカットアウトの側面図である。
【図６（ａ）（ｂ）（ｃ）（ｄ）】各々、本投入操作用工具の使用状態を説明する側面図である。
【符号の説明】
【００１９】
１  工具本体
３  アーム
４  横棒（係止部）
５  アダプタ（先部）
７  間接活線把持具（操作棒）
１０  高圧カットアウト（カットアウト）
１１  基体（ユニット）
１２  開閉装置（ユニット）
１３  端子（電極部）
１４  ソケット（被電極部）
１５  ケーブル
１７  被係止部（爪）
【図１】
2006185689.tif 000003
【図２】
2006185689.tif 000004
【図３】
2006185689.tif 000005
【図４】
2006185689.tif 000006
【図５】
2006185689.tif 000007
【図６（ａ）（ｂ）（ｃ）（ｄ）】
2006185689.tif 000008
【手続補正書】
【提出日】平成17年1月13日(2005.1.13)
【手続補正１】
【補正対象書類名】明細書
【補正対象項目名】０００７
【補正方法】変更
【補正の内容】
【０００７】
ここで係止部は、操作棒による操作を行いながら、各開閉装置の係止部（例えば爪、ツマミ等）のすべてに対し、同時に掛けられる態様であればよく、例えば、前記被係止部が横一列に並んでいるような態様のカットアウトあれば、該カットアウトの形成幅とほぼ同一幅に延長する横棒を適用したり、あるいは、すべての開閉装置と同数に枝分かれした鉤状物などが適用される。また操作棒とは例えば、間接活線把持具などに代表されるような、所定の部位に取り付けた工具本体を操作できる手段のすべてを意味するものである。